(57)【特許請求の範囲】
【請求項１】
名刺を取り出す取り出し口を有し、内部に複数枚の名刺を重ねて収納できるところの互いに分離可能な下部ケースと上部ケースとから成る収納ケースと、前記下部ケースと上部ケースを重ね合わせた状態で固定する固定手段と、下部ケースに設けられたところの当該下部ケース内に収納させた名刺を上部ケース側へ押し上げる押し上げ手段と、前記収納ケースの一側に設けられたところの収納された名刺の少なくとも上端部側のものに撓みを与えるガイド部材と、前記上部ケースに前記取り出し口へ向けてスライド可能に設けた前記名刺の上端部側のものを係止する係止部を有する取り出し釦部材と、で構成したことを特徴とする、名刺入れ。
【請求項２】
名刺を取り出す取り出し口を有し、内部に複数枚の名刺を重ねて収納できるところの互いに分離可能な下部ケースと上部ケースとから成る収納ケースと、前記下部ケースと上部ケースを重ね合わせた状態で固定する固定手段と、下部ケースに設けられたところの当該下部ケース内に収納させた名刺を上部ケース側へ押し上げる押し上げ手段と、前記上部ケースの一側裏面に設けられたところの収納された名刺の少なくとも上端部側のものに撓みを与えるガイド部材と、前記上部ケースに前記取り出し口へ向けてスライド可能に設けた前記名刺の上端部側のものを係止する係止部を有する取り出し釦部材と、この取り出し釦部材を所定のスライド位置から元位置の方向へ自動的に戻す自動復帰手段と、で構成したことを特徴とする、名刺入れ。
【請求項３】
前記固定手段は、前記下部ケースの両側部に開閉可能に取り付けられた固定部材で構成し、この固定部材の自由端側に設けた係止突部と上部ケースとを係合させることにより、前記下部ケースと上部ケースを重ね合わせた状態で固定させるように構成したことを特徴とする、請求項１または２のいずれか１項に記載の名刺入れ。
【請求項４】
前記ガイド部材は、その上部に前記収納ケースの内側に向けて傾斜或は湾曲するガイド部を設けたもので構成したことを特徴とする、請求項１または２のいずれか１項に記載の名刺入れ。
【発明の詳細な説明】
【技術分野】
【０００１】
本発明は、複数枚の名刺を収納させておき、必要に応じて一枚ずつ半自動的に取り出すことのできる、名刺入れに関する。
【背景技術】
【０００２】
従来、複数枚の名刺を収納させた収納ケースに名刺の取り出し口を設け、収納ケース底部に設けた板バネのような弾性手段を用いた押し上げ手段で名刺を上方へ押し上げ、押し上げた名刺を蓋部の側に設けた窓部より指を入れて指と名刺との間の摩擦力によって名刺をスライドさせ一枚ずつ取り出し口より押し出すことのできるものや、同じく押し上げ手段を有し、蓋部の側に取り出し釦部材を摺動可能に取り付け、この取り出し釦に設けた係止部で最上段の名刺の端部を係止して取り出し口より押し出すことができるようにしたものが、下記特許文献１と２に示したように、公知である。
【先行技術文献】
【特許文献】
【０００３】
【特許文献１】第３１０８２１０号実用新案登録公報
【特許文献２】実開昭６２−６３０２０号公報
【発明の概要】
【発明が解決しようとする課題】
【０００４】
上記した特許文献のうち特許文献１に記載された名刺入れは、指で収納ケース内に収納された名刺を押し出すために、強く名刺を押すと、名刺が下方へ沈むことから、取り出し口から取り出しにくくなるという問題があり、この問題点は、収納ケース内にある名刺の数が少なくなると、押し上げ手段の弾性手段の弾力が弱まることから、より増幅されるという問題があった。
【０００５】
また、上記した特許文献２に記載された名刺入れは、取り出し釦部材の係止部で名刺の端部を引掛けて、取り出し釦部材を押すことで名刺を取り出し口へ押し出すものであるが、取り出し釦部材の係止部で係止する部分が名刺の厚さ分しかないため、しばしば名刺を係止することに失敗し、何度もやり直さなくてはならないという問題が生じた。また、この特許文献２に記載された名刺入れは、名刺を取り出す度に取り出し釦を手動で元位置に戻さなくてはならず、操作が煩雑であるという問題もあった。
【０００６】
本発明は上記課題を解決するためになされたもので、その目的は、収納ケース内に収納させた名刺を最後のものまで確実に取り出し口より押し出すことができる名刺入れを提供せんとするにある。
【０００７】
本発明のもう一つの目的は、名刺の収納ケースからの取り出し動作を半自動（セミオート）で行うことができるように成した名刺入れを提供せんとするにある。
【課題を解決するための手段】
【０００８】
上述した目的を達成するために本発明は、名刺を取り出す取り出し口を有し、内部に複数枚の名刺を重ねて収納できるところの互いに分離可能な下部ケースと上部ケースとから成る収納ケースと、前記下部ケースと上部ケースを重ね合わせた状態で固定する固定手段と、下部ケースに設けられたところの当該下部ケース内に収納させた名刺を上部ケース側へ押し上げる押し上げ手段と、前記収納ケースの一側に設けられたところの収納された名刺の少なくとも上端部側のものに撓みを与えるガイド部材と、前記上部ケースに前記取り出し口へ向けてスライド可能に設けた前記名刺の上端部側のものを係止する係止部を有する取り出し釦部材と、で構成したことを特徴とする。
【０００９】
本発明はまた、名刺を取り出す取り出し口を有し、内部に複数枚の名刺を重ねて収納できるところの互いに分離可能な下部ケースと上部ケースとから成る収納ケースと、前記下部ケースと上部ケースを重ね合わせた状態で固定する固定手段と、下部ケースに設けられたところの当該下部ケース内に収納させた名刺を上部ケース側へ押し上げる押し上げ手段と、前記上部ケースの一側裏面に設けられたところの収納された名刺の少なくとも上端部側のものに撓みを与えるガイド部材と、前記上部ケースに前記取り出し口へ向けてスライド可能に設けた前記名刺の上端部側のものを係止する係止部を有する取り出し釦部材と、この取り出し釦部材を所定のスライド位置から元位置の方向へ自動的に戻す自動復帰手段と、で構成したことを特徴とする。
【００１０】
以上いずれの発明においても、前記固定手段を、前記下部ケースの両側部に開閉可能に取り付けられた固定部材で構成し、この固定部材の自由端側に設けた係止突部と上部ケースとを係合させることにより、前記下部ケースと上部ケースを重ね合わせた状態で固定させるように構成することができる。
【００１１】
本発明はさらに、前記ガイド部材を、その上部に前記収納ケースの内側に向けて傾斜或は湾曲するガイド部を設けたもので構成することができる。
【発明の効果】
【００１３】
本発明によれば、請求項１に係る発明は、押し上げ手段とガイド部材の協働作用により、収納ケース内に収納させた複数枚の名刺の上部のものが、上端側に至るほどその湾曲角度が大きくなるため、取り出し釦部材の係止部と容易に係合することになり、確実に１枚づつの名刺を取り出し口から外側へ押し出すことができるものである。
【００１４】
請求項２のように構成すると、請求項１に係る発明の上記効果に加えて、取り出し釦部材による名刺の押し出し操作の後に、取り出し釦部材を自動的に元位置に戻すことができるので、煩雑でなくなり、操作性が向上するという効果を奏し得る。
【図面の簡単な説明】
【００１５】
【図１】本発明に係る名刺入れを一方の側から見た斜視図である。
【図２】本発明に係る名刺入れを他方の側から見た斜視図である。
【図３】図１に示した状態から名刺を取り出した状態の斜視図である。
【図４】本発明に係る名刺入れの分解斜視図である。
【図５】本発明に係る名刺入れの一部分解斜視図である。
【図６】本発明に係る名刺入れの図１におけるＡ−Ａ線断面図である。
【図７】本発明に係る名刺入れの取り出し釦部材の動作を説明する説明図であり、（ａ）図は名刺の取り出し動作開始前の状態を示し、（ｂ）図は名刺の取り出し動作終了時の状態を示す。
【図８】本発明に係る名刺入れにおける取り出し釦部材の自動復帰手段の説明図である。
【図９】本発明に係る名刺入れの上部ケースを裏側から見た斜視図である。
【図１０】本発明に係る名刺入れの収納ケースへ名刺を収納させる際の手順を説明するための説明斜視図である。
【図１１】本発明に係る名刺入れのガイド手段の他の実施例を示す説明断面図である。
【発明を実施するための形態】
【００１６】
以下に本発明に係る名刺入れの実施例を図面に基づいて説明する。
【実施例１】
【００１７】
図１乃至図１０は、本発明に係る名刺入れの実施例１を示す。図面によれば、この実施例１に係る名刺入れ１は、互いに上下方向へ分離可能な下部ケース２と上部ケース３からなるところの、内部に複数枚の名刺Ｍを収納させる収納ケース４と、上部ケース３と下部ケース２を互いに重ね合わせた状態で固定する固定手段５と、下部ケース２の内底部に設けられた板バネ６ａ、６ａ、６ｂ、６ｂの弾性手段から成る名刺の押し上げ手段６と、収納ケース４に収納された名刺に撓みを与えるガイド部材７と、上部ケース３に対しスライド可能に取り付けられた取り出し釦部材８と、この取り出し釦部材８と自動に元位置に戻す自動復帰手段９と、で構成されており、上部ケース３の一側にやや湾曲した形状の取り出し口３ｆが設けられている。
【００１８】
下部ケース２と上部ケース３は、とくに図５と図６に示したように、好適には互いに合成樹脂材料で成形することにより製造した成形品であり、下部ケース２は底板２ａと、この底板２ａの周囲に設けた周壁部２ｂ、２ｃ、２ｄ、２ｅとを有している。上部ケース３は上板３ａと、この上板３ａの周囲を囲んで設けた周壁部３ｂ、３ｃ、３ｄ、３ｅとを有しており、周壁部３ｂ、３ｃ、３ｄ、３ｅの中の前後方向に位置する周壁部３ｄに、名刺の取り出し口３ｆが設けられている。この取り出し口３ｆを設けた周壁部３ｄの反対側の周壁部３ｂの内側には、後述する取り出し釦部材８の係止部８ｅを受け入れる凹部３ｊが設けられている。
【００１９】
上部ケース３の上板３ａの左右方向の両端上部には、固定手段５の係止凹部３ｇ、３ｇが設けられると共に、上板３ａの略中央部には窓部３ｈが設けられている。この上板３ａの裏側には、とくに図９に示したように、窓部３ｈを囲んで後述する弦巻バネ９ａを収容する収装凹部３ｉが設けられている。さらに上部ケース３の周壁部３ｂ、３ｃ、３ｄ、３ｅの内側縁部には、嵌合凸部３ｋ、３ｍ、３ｎ、３ｏが設けられ、下部ケース２の周壁部２ｂ、２ｃ、２ｄ、２ｅの内側縁部には、周壁部３ｂ、３ｃ、３ｄ、３ｅを受け入れる嵌合凹部２ｆ、２ｇ、２ｈ、２ｉが設けられている。
【００２０】
固定手段５は、特に図４乃至図６に示したように、下部ケース２の両側部前後に設けた取付部２ｊ、２ｊ・２ｋ、２ｋの間に、支持ピン５ｂ、５ｂ・５ｂ、５ｂを介してその取付部５ｃ、５ｃを開閉可能に取り付けられた側面略Ｃ字形状の固定部材５ａ、５ａから構成されており、この固定部材５ａ、５ａの上部側には係止突部５ｄ、５ｄが設けられている。
【００２１】
押し上げ手段６は、下部ケース２の底板２ａの左右位置にその圧接部６ｃ、６ｃ・６ｄ、６ｄを前後方向へ向けて、その取付部６ｅ、６ｅ・６ｆ、６ｆを固定させたところの、各一対の板バネ６ａ、６ａ・６ｂ、６ｂから成る弾性手段で構成されている。尚、この板バネは、押圧プレート付の圧縮コイルスプリングに代えても良い。
【００２２】
ガイド部材７は、とくに図４と図５に示したように、上部ケース３の一側部内側に取付ネジ７ａ、７ａ、７ａを介して取り付けられたところの、断面略矩形状を呈した角棒状のもので、その上端部側に内側へ湾曲させたガイド部７ｂが設けられている。
【００２３】
取り出し釦部材８は、とくに図４と図６に示したように、表面の刻み８ｆを設けた釦部８ａと、この釦部８ａに対し所定間隔を空けて取付ビス８ｂで取り付けられたガイドプレート部８ｃと、係止部８ｅとから成り、釦部８ａの両側にガイド溝８ｄ、８ｄが形成されている。この取り出し釦部材８は上部ケース３の窓部３ｈに設けたレール部３ｐ、３ｐと係合している。
【００２４】
取り出し釦部材８の自動復帰手段９は、とくに図８に示したように、弦巻バネ９ａから成り、この弦巻バネ９ａは、その一端部９ｂを収装凹部３ｉに支持ピン９ｃで旋回可能に係合させ、他端部９ｄをガイドプレート部８ｃに設けた切欠部８ｈへ挿入させつつ取付ビス８ｂの１本のものに回転可能に係合させている。尚、この自動復帰手段９は、弦巻バネに代えて引張コイルスプリングや圧縮コイルスプリング、スネークスプリング、或は板バネその他の弾性手段に代えても良い。弦巻バネ９ａにすると、収納ケース４の厚みを極力薄くすることができる、また、弦巻バネとした場合には、扁平な線材を用いた弦巻バネとすると、収納ケース４の厚みをさらに薄くすることが可能である。
【００２５】
次に、本発明に係る名刺入れの作用効果について説明する。
【００２６】
まず、図１０に示したように、固定部材５ａ、５ａの指掛部５ｅ、５ｅ（図１〜図５参照）に指を掛けてこれらを外側へ開いて下部ケース２と上部ケース３とを分離した後、上部ケース３を裏返した状態で下に置き、複数枚の名刺（７枚〜１０枚程度重ねて揃えたもの）Ｍを、上部ケース３内に収納させ、次いで下部ケース２を上部ケース３に被せて各嵌合凸部３ｋ、３ｍ、３ｎ、３ｏと嵌合凹部２ｆ、２ｇ、２ｈ、２ｉを相互に嵌合させて、手で押えた状態で固定手段５の固定部材５ａ、５ａを回転させてその係止突部５ｄ、５ｄと上部ケース３の係止凹部３ｇ、３ｇとを係合させると、下部ケース２と上部ケース３は互いに重ね合わされた状態で固定されて、複数の名刺Ｍは収納ケース４内に収納される。その際に、複数枚の名刺Ｍは押し上げ手段６によって上部ケース３の内上部（上板３ａの下面）の方向へ押されるので、複数枚の名刺Ｍの上部の何枚かの名刺ｍがガイド部材７のガイド部７ｂに案内されて図６に示したように、撓んで湾曲することになる。この湾曲度はガイド部７ｂの傾斜角度により最上段のものほど大きく湾曲するので、上段の名刺ｍにいたるほど湾曲度が大きくなって、上部側の各名刺ｍ、ｍ・・・の間に図６に示したように間隙が生ずることになる。尚、ガイド部７ｂの断面形状は湾曲形状としても良い。
【００２７】
他方、取り出し釦部材８は、自動復帰手段９により、常に所定位置で待機状態にあるので、その係止部８ｅが最上端の名刺ｍの最大の湾曲部分と係合することになる。
【００２８】
この状態において複数枚の名刺Ｍは収納ケース４内に収納されているが、各名刺ｍが必要になった時に、取り出し釦部材８を取り出し口３ｆの側へ押してやると、該収納ケース４内に収納されている各名刺ｍの最上段の名刺ｍが取り出し釦部材８の係止部８ｅに係止され、取り出し釦部材８と共にスライドして、この取り出し口３ｆより外へ押し出されることになる。
【００２９】
名刺ｍを取り出し口３ｆより抜き取って、取り出し釦部材８より手を離すと、取り出し釦部材８は自動復帰手段９の弦巻バネ９ａの弾力により押されて自然に元位置に戻ることになる。取り出し釦部材８が元位置に戻ると、２枚目の名刺ｍが最大に湾曲した状態で待機状態となる。
【００３０】
尚、取り出し釦部材８の自動復帰手段９は、弾性手段の構成及び設置を工夫することにより、名刺の押し出し時と押し出し後の復帰時の両方を半自動で行うように構成することができる。
【００３１】
ここで、さらに２枚目以上の名刺ｍが必要な場合には、取り出し釦部材８を上述したように操作すると、収納ケース４内に収納されている名刺ｍが無くなるまで、取り出し口３ｆから押し出された名刺を指で挟んで取り出すことができるものである。
【００３２】
その際に、ガイド部材７によって湾曲させられた名刺を上から押えて取り出すのではないので、押し上げ手段６の押し上げ力が弱まっても確実に取り出し釦部材８の係止部８ｅで、各名刺ｍを確実に係止する事ができるものである。
【実施例２】
【００３３】
図１１は、本発明に係る名刺入れの他の実施例を示す。この実施例２に係る名刺入れは、上部ケース１６の内側に基材部１５ａを設け、この基材部１５ａの内側に取り付けたゴムのような弾性を有する可撓性材質で作製されたガイド本体１５ｃが固着されている。そして、基材部１５ａには、ガイド本体１５ｃの上部側の撓み部１５ｂが撓んで逃げるように逃がし凹部１５ｄが設けられている。このことにより、ガイド本体１５ｃは、撓み支点１５ｅより下方では、同一の圧力で各名刺を押圧しているが、撓み支点１５ｅより上方の撓み部１５ｂでは、その圧力が上に行くほど名刺を押す力が弱くなるように構成されている。
【００３４】
さらに詳しくは、上部ケース１６に設けた基材部１５ａの内側に、弾性を有するガイド本体１５ｃが例えば貼着のような手段で取り付けられており、この基材部１５ａの上部内側の部分には、ガイド本体１５ｃの撓み部１５ｂを逃がす逃がし凹部１５ｄが設けられている。このように実施すると、弾性を有する撓み部１５ｂが、重ねられた複数枚の名刺Ｍの各名刺ｍの側辺に接する圧力は、撓み支点１５ｅから遠い上部側の名刺に対するものほど弱くなるため、一番上の名刺の押し出し操作に対する抵抗力が最も弱く、これにより、１枚目の名刺のみを押し出し易くする効果を得ることができる。
【産業上の利用可能性】
【００３５】
本発明は以上のように実施したので、収納ケースより取り出す名刺の最後の一枚まで確実に押し出すことができ、かつ、取り出し釦部材の復帰動作を自動としたので、操作性の良い名刺入れとして好適に用いられるものである。
【符号の説明】
【００３６】
Ｍ  複数枚の名刺
ｍ  各名刺
１  名刺入れ
２  下部ケース
３、１６  上部ケース
３ｆ  取り出し口
４  収納ケース
５  固定手段
５ａ  固定部材
５ｄ  係止突部
６  押し上げ手段
７  ガイド部材
７ｂ  ガイド部
８  取り出し釦部材
８ｅ  係止部
９  自動復帰手段
１５  ガイド部材
１５ａ  基材部
１５ｃ  ガイド本体
１５ｄ  逃がし凹部
【図１】
0005657291.tif 000002
【図２】
0005657291.tif 000003
【図３】
0005657291.tif 000004
【図４】
0005657291.tif 000005
【図５】
0005657291.tif 000006
【図６】
0005657291.tif 000007
【図７】
0005657291.tif 000008
【図８】
0005657291.tif 000009
【図９】
0005657291.tif 000010
【図１０】
0005657291.tif 000011
【図１１】
0005657291.tif 000012